(57)【要約】【課題】洗い場を水平面にしても良好な排水性を保証でき、翌日になっても排水の水玉が残ったままとなる事態を排除できる浴室床用防水パンを提供する。【解決手段】底面部１２を排水口１３に向け下り勾配とした防水パン本体１の底面部１２上に水平上面の透水層２を設け、洗い場上の濡れ水を透水層２の透水と下り勾配底面の流下との協働で排水するようにした。透水層２をチップとバインダーとの混練物の打設により形成してあり、リサイクルチップを使用してコスト低廉を図ることができる、チップの材質を変えることにより床用防水パンの色調を変えることができる、断熱性を高めることができる、透水層の破砕してリフォームや修理を容易に行うことができる。【選択図】図１
2004316337.tif 000002
【特許請求の範囲】
【請求項１】
底面部を排水口に向け下り勾配とした防水パン本体の底面部上に水平上面の透水層を設けたことを特徴とする床用防水パン。
【請求項２】
浴室床用であり、少なくとも洗い場に透水層を設けたことを特徴とする請求項１記載の床用防水パン。
【請求項３】
透水層を、チップとバインダーとの混練物により設けたことを特徴とする請求項１または２記載の床用防水パン。
【請求項４】
チップとバインダーとの少なくとも一方を弾性物としたことを特徴とする請求項３記載の床用防水パン。
【発明の詳細な説明】
【０００１】
【発明の属する技術分野】
本発明は床用防水パンに関し、特に、浴室床用防水パンとして有用なものである。
【０００２】
【従来の技術】
浴室ユニットにおいては、防水パンの周囲に壁パネルを取付け、その壁パネル上に天井パネルを取付け、防水パンの浴槽設置部に浴槽を配設し、防水パンの排水口を排水管に接続している。
その防水パンの底面は排水口に向け下り勾配の傾斜面とし、その下り勾配を通常、約２０／１０００として水の流下性を付与している。
かかる勾配のもとでは、入浴者が洗い場で滑り易く、特に洗体、洗髪時に石鹸水が湯水に混じるとその危険性が大きい。
【０００３】
そこで、浴室床用防水パンの洗い場に滑り止め用凸部を付設することが知られている（例えば、特許文献１参照）。
しかしながら、防水パン底面に凸部を付設すると、それだけ水の流下速度が抑えられ流下流れが途中で途切れてその連続性が断たれるために水が島状に孤立して残り易く、この孤立した水玉が厚いために乾き難く、翌日になっても乾燥されずに残ったままとなり、浴槽の掃除を行うときに靴下のままで洗い場に入ると靴下が濡れてしまうために掃除用スリッパを用意しておくか、裸足になる必要がある。この場合、前者では浴室用備品が増え煩わしく、後者では掃除する者に不快感を抱かせることになる。
従来、洗い場に前記島状の孤立した水玉が発生しようとしても、その水玉の表面を破壊して水玉を発生させない凹凸形状部を形成することにより、水玉の表面積を拡げて短時間で乾燥させ、滑り止め凸部の滑り止め効果を損なうことなく翌日までに洗い場を乾燥状態にすることが提案されている。（特許文献２参照）
【０００４】
【特許文献１】
特開平６−９３７４５号公報
【特許文献２】
特開２００２−５４２９５号公報
【０００５】
【発明が解決しようとする課題】
しかしながら、この従来技術では、水の表面エネルギーが分断されて水玉が小さくされて洗い場の濡れ水が分散されるが、洗い場に水が残留することには変わりが無く、その除去は蒸発・乾燥に依存せざるを得ない。従って、乾燥機を駆け忘れたときは、前記不具合を解消し難く、また、電力コストの問題もある。
【０００６】
このように、従来の浴室床用防水パンでは、（１）滑り易さ、（２）水玉が発生し翌日まで残って浴槽の掃除時にスリッパを履くか裸足になる必要がある、等の点を満足に解消し難く、かりに解消できても、洗い場の下り勾配のために車椅子を必要とする者においては不安であるという問題がある。
【０００７】
本発明の目的は、洗い場を水平面にしても良好な排水性を保証でき、翌日になっても排水が水滴状で残ったままとなる事態を排除できる浴室床用防水パンを提供することにある。
【０００８】
【課題を解決するための手段】
請求項１に係る床用防水パンは、底面部を排水口に向け下り勾配とした防水パン本体の底面部上に水平上面の透水層を設けたことを特徴とする。
【０００９】
請求項２に係る床用防水パンは、請求項１の床用防水パンにおいて、浴室床用とし、少なくとも洗い場に透水層を設けたことを特徴とする。
【００１０】
請求項３に係る床用防水パンは、請求項１または２の床用防水パンにおいて、透水層をチップとバインダーとの混練物により設けたことを特徴とする。
【００１１】
請求項４に係る床用防水パンは、請求項３の床用防水パンにおいて、チップとバインダーとの少なくとも一方を弾性物としたことを特徴とする。
【００１２】
【発明の実施の形態】
以下、図面を参照しつつ本発明の実施の形態を説明する。
図１の（イ）は本発明に係る浴室床用防水パンの一実施例を示す平面図、図１の（ロ）は図１の（イ）におけるロ−ロ断面図である。
図１において、１は防水パン本体であり、周囲に仕切り壁を有し、底面１２を排水口１３に向け下り勾配としてある。この下り勾配は、例えば約２０／１０００とすることができる。１４は防水パン本体１の裏面に一体に形成した補強リブである。２は防水パン本体１の底面１２上に排水口１３上を除いて設けた水平表面の透水層であり、チップとバインダーとの混練物の打設により形成することができる。
【００１３】
図１に示す床用防水パンは浴室の床パンとして使用することができる。この場合、防水パン本体の底面が傾斜面であっても、その底面上に水平表面の透水層を設けてあるから、洗い場を水平面にでき、前記した洗体時や洗髪時での転倒の危険性を軽減できる。
【００１４】
既述した通り、洗い場が水で濡らされると、水の表面エネルギーと、洗い場の表面エネルギーと、洗い場表面と水との間の界面エネルギーとのつり合いにより孤立した島状の水膜、すなわち水玉が形成される。而るに、従来例（特開２００２−５４２９５号公報）では、水玉破壊用の凹凸形状を設けて水の表面エネルギーを分断して水玉を小さくしている。しかしながら、小さくしても、浴室内に水が残留することには変わり無く、蒸発・乾燥によらなければ残留水を除去し得ず、乾燥機の駆け忘れや故障時には水滴の残留が余儀なくされ、浴槽の掃除を行うときに靴下のままで洗い場に入ると靴下が濡れてしまい、掃除用スリッパを履くか、裸足になる必要がある。
これに対し、本発明に係る浴室床用防水パンでは、防水パン本体の底面上に透水層を設けてあるから、水玉を蒸発以外に、透水層を経ての透水と防水パン本体下り勾配に沿う水流下との協働による排水でも排除でき、水玉の大小に左右されることなく細かい水滴でも排除できる。
【００１５】
前記排水速度を増大するには、透水層の透水量を大とし、その透水量の増加に応じて防水パン本体下り勾配底面に沿う流下水量を増加する必要がある。その透水量の増加には、前記チップとバインダーとの凝結物のチップ間隙を大きくすることが有効である。防水パン本体の下り勾配底面に沿う流下水量の増加には、下り勾配を大きくすること、図２に示すように下り勾配底面１２に沿い多孔集水管３を埋設しその下端３１を排水口１３に開放すること等が有効である。
【００１６】
上記チップには、ゴムチップ、樹脂チップ等の高分子チップ、玉砂利や砂等の無機質チップを使用することができ、好ましい粒径は約１ｍｍ〜５ｍｍである。
ゴムチップや樹脂チップには廃材の破砕物も使用でき、無機質チップには下水汚泥の焼成処理破砕物も使用できる。
前記透水層の透水量を高めるために、親水性チップを使用することが好ましい。また、ゴムチップを用いて、浴室床用防水パンの防音性を高め、万一転倒したときの人体の保護のためにクッション性を高めることが好ましい。
【００１７】
ゴムチップとしては、天然ゴム、ポリイソプレンゴム、スチレンゴム、ブタジエンゴム、クロロプレンゴム、ブチルゴム、ニトリルゴム、エチレン・プロピレンゴム、ＥＰＤＭ、ウレタンゴム、アクリルゴム、多硫化ゴム等のチップ、タイヤやチューブ等のゴム製品の破砕物を挙げることができる。
バインダーとしては、エポキシ系、ゴム系等を使用することもできるが、親水性のウレタン樹脂系を使用することが好ましい。
このウレタン系バインダーとしては、有機イソシアネート化合物、例えば２，４−トリレンジイソシアネート、６５／３５−トリレンジイソシアネート、８０／２０−トリレンジイソシアネート、４，４’ジフェニルメタンジイソシアネート、ジアニシジンジイソシアネート、トリデンジイソシアネート、メタキシリレンジイソシアネート、ヘキサメチレンジイソシアネート、フェニレンジイソシアネート、１，５−ナフタレンジイソシアネート、ポリメチレンポリフェニルポリイソシアネート等の芳香族ジイソシアネート類、脂環族ジイソシアネート類から有機ポリイソシアネート化合物またはこれらの単独或いは二種以上にポリオールを、好ましくはイソシアナート基／水酸基当量比１．５〜２．０で反応させたイソシアナート基含有プレポリマーの単独または二種以上よりなる一液型のもの、また該イソシアネート化合物と反応する活性水素化合物とを混合してなる２液型のものを挙げることができる。
【００１８】
前記防水パン本体は、シートモールディングコンパウンド（ＳＭＣ）やバルクモールディングコンパウンド（ＢＭＣ）のプレス加熱加圧成形、熱可塑性樹脂の射出成形、二液反応性原液の反応射出成形（ＲＩＭ）等により製造することができる。
この場合、前記した通り、透水層により浴室内洗い場での水滴の残留を排除できるので、防水パン本体の水に対する接触角乃至は表面エネルギーを考慮する必要がなく、従って、汎用の不飽和ポリエステル系樹脂のＳＭＣまたはＢＭＣのプレス加熱加圧成形以外に、塩化ビニル樹脂やポリプロピレンの射出成形、ポリジシクロペンタジエンのＲＩＭ等を使用することもできる。
【００１９】
本発明に係る浴室床用防水パンにおいては、図１に示すように排水口１３を除く全底面１２上に透水層２を設けること、すなわち洗い場のみならず浴槽設置部上にも透水層を設けることができる。
あるいは、洗い場のみに透水層を設け、浴槽設置部に設置した浴槽のエプロンで透水層端を隠すことができる。
あるいは、防水パン本体に浴槽を一体成形し、排水口を除く洗い場の全底面上に透水層を設けることができる。
【００２０】
本発明に係る浴室床用防水パンにおいては、チップとバインダーとの混練物で打設した透水層の表面を切削加工して表面仕上げすることができる。この場合、チップ材質の変化やチップの着色により浴室床用防水パンの色調乃至は意匠性を高めることができる。また、透水層表面に透水性シートやマットを前記バインダーで貼着することもでき、この場合、柄付きシートやマットを使用して浴室床用防水パンの意匠性を高めることができる。
【００２１】
本発明に係る浴室床用防水パンにおいては、チップとバインダーとの混練物を既設の浴室床に打設して表面水平な透水層を形成する形態、回収した浴室床用防水パン上にチップとバインダーとの混練物を打設して表面水平な透水層を形成し浴室床用防水パンをリサイクルする形態で実施することも可能である。
【００２２】
本発明に係る床用防水パンは、浴室床用以外に洗面ユニット、ベランダ用防水床、玄関パンとして使用することも可能である。
【００２３】
【発明の効果】
本発明に係る床用防水パンは、底面部を排水口に向け下り勾配とした防水パン本体の底面部上に水平上面の透水層を設けた構成であり、床面部を水平としてあるから、浴室洗い場での転倒の危険性を軽減でき、車椅子で浴室に入る者でも、輪留めをかけることなく安全・スムーズに洗体や洗髪を行うことができる。
しかも、水平床面にもかかわらず、透水層を経ての透水と防水パン本体の下り勾配底面に沿う水流下との協働で洗い場での水滴の残留をよく排除でき、浴室内の乾燥に依存することなく、居室側（通常は洗面室）から浴室に足裏を濡らすことなく入って浴槽の掃除を良好に行うことができる。また、洗い場の残留水を排水口から浴室外に排出できるので、浴室内の湿度を低くして黴の発生防止を図ることができる。更に、防水パン本体には表面張力の面から水膜生成を防止するための濡れ性や柄が要求されないので、安価な材料やリサイクル品を使用でき、コストの低廉化を図ることができる。
【００２４】
特に、請求項３では、透水層をチップとバインダーとの混練物により形成しているので、リサイクルチップを使用して一層のコスト低廉を図ることができる、チップの材質を変えることにより床用防水パンの色調を変えることができる、断熱性を高めることができる、透水層の破砕してリフォームや修理を容易に行うことができる等の利点が得られる。
【００２５】
特に、請求項４では、チップまたはバインダーの少なくとも一方を弾性物としているので、防音性を高めることができる、万一転倒してもクッション効果により人体を保護できる等の利点が得られる。
【図面の簡単な説明】
【図１】本発明に係る床用防水パンの一実施例を示す図面である。
【図２】本発明に係る床用防水パンの一実施例を示す図面である。
【符号の説明】
１            防水パン本体
１２          底面
１３          排水口
２            透水層
３            多孔集水管
【図１】
2004316337.tif 000003
【図２】
2004316337.tif 000004